(57)【要約】【課題】読取データのデータ転送速度を論理的な転送速度に近づけるとともに、ユーザの使用形態や接続インタフェースに対応した好適なデータ転送方式によるデータ転送を実現することが可能な情報読取装置及び情報読取装置の制御方法を提供する。【解決手段】小切手Ｓが有する画像および磁気インク文字の読取処理を制御する読取制御部と、読取データをホストコンピュータ１１０へ送信する送信部６４と、を有し、送信部６４は、ホストコンピュータ１１０からの通信方式設定コマンドに基づいて、複数の通信方式のうちから１の通信方式を設定し、設定された通信方式によって読取データを送信する。【選択図】  図３
2007286772.tif 000002
【特許請求の範囲】
【請求項１】
ホストコンピュータと複数の通信方式によってデータ通信を行うことが可能な情報読取装置であって、
読取媒体が有する情報の読取処理を制御する読取制御部と、
前記情報の読取データを前記ホストコンピュータへ送信する送信部と、を有し、
前記送信部は、前記ホストコンピュータからの通信方式設定指示に基づいて前記複数の通信方式のうちから設定された通信方式にしたがって、前記読取データを送信することを特徴とする情報読取装置。
【請求項２】
前記設定された通信方式が前記読取データを一括して送信する一括データ送信方式である場合には、前記送信部は、前記ホストコンピュータから送信される読取データ送信要求指示に基づいて、前記読取データを一括して送信することを特徴とする請求項１に記載の情報読取装置。
【請求項３】
前記設定された通信方式を確認する通信方式設定情報の送信を要求する通信方式設定情報要求指示に応じて、前記通信方式設定情報を生成し、前記ホストコンピュータへ送信する通信方式設定情報生成送信部を有することを特徴とする請求項１または２に記載の情報読取装置。
【請求項４】
前記読取制御部は、前記ホストコンピュータから送信された１の読取指示で複数の前記読取媒体の情報を連続して読み取ることを特徴とする請求項１〜３の何れかに記載の情報読取装置。
【請求項５】
前記読取制御部は、前記読取媒体の画像の読取処理を制御する画像読取制御部または、前記読取媒体に記載された磁気インク文字の読取処理を制御する磁気インク文字読取制御部の少なくともいずれか一方によって構成されることを特徴とする請求項１〜４の何れかに記載の情報読取装置。
【請求項６】
読取媒体が有する情報の読取処理を制御する読取制御部を備え、ホストコンピュータへ複数の通信方式によって読取データを送信することが可能な情報読取装置の制御方法であって、
前記ホストコンピュータからの通信方式設定指示を受信する受信ステップと、
前記通信方式設定指示に基づいて前記複数の通信方式のうちから１の通信方式を設定する設定ステップと、
設定された通信方式によって前記読取データを送信する送信ステップと、を有することを特徴とする情報読取装置の制御方法。
【請求項７】
前記設定ステップにおいて、前記読取データを一括して送信する一括データ送信方式が設定された場合に、
前記ホストコンピュータから送信される読取データ送信要求指示に基づいて、前記読取データを一括して送信することを特徴とする請求項６に記載の情報読取装置の制御方法。
【請求項８】
設定されている前記１の通信方式を確認する通信方式設定情報の送信を要求する通信方式設定情報要求指示を受信し、
前記通信方式設定情報要求指示に基づいて前記通信方式設定情報を生成し、
前記通信方式設定情報を前記ホストコンピュータへ送信することを特徴とする請求項７または８に記載の情報読取装置の制御方法。
【発明の詳細な説明】
【技術分野】
【０００１】
本発明は、読取媒体が有する情報を読み取る情報読取装置及び情報読取装置の制御方法に関する。
【背景技術】
【０００２】
従来から、小切手などの単票用紙には、その表面に磁気インク文字を用いて重要な情報が印刷されることがある。例えば、小切手の所定箇所に口座番号や金額等が磁気インク文字で印刷されている。小切手の場合、磁気インク文字を読み取って照会することにより、その有効性を確認することができる。そのため、小切手等の単票用紙を挿入して搬送させながら磁気インク文字を読み取り可能に構成された単票用紙読み取り装置が開発されている。また、磁気インク文字に加えて単票用紙の全体の印刷パターンを光学的に読み取ってイメージデータとして保存することも要望されている。そのため、磁気読み取り処理及び光学読み取り処理の両方を実行可能に構成された単票用紙読取装置（複合処理装置）が提案されている（例えば、特許文献１参照）。
【０００３】
特許文献１に記載された単票用紙読取装置は、１枚の単票用紙を挿入口から挿入し、搬送機構によって搬送された単票用紙の磁気インク文字を磁気インク文字読取装置で読み取り、単票用紙に印刷されたイメージを光学読取機構によって読み取った後に、通信可能に接続されたホストコンピュータが読み取り結果を受信し正しく読み取りが行われたかをチェックするように設定されている。そして、次の単票用紙の読み取りを行う場合には、次の単票用紙を挿入口から挿入して読み取り処理を実行させる。つまり、１単票用紙毎に読み取り処理の結果を解析するように構成されているため、複数の単票用紙を連続して読み取ることが不可能である。このため、複数の単票用紙を連続して読み取ることが可能な単票用紙読取装置が求められている。
【０００４】
このようなタイプの単票用紙読取装置においては、ホストコンピュータから単票用紙読取装置への印刷データ送信と、逆に単票用紙読取装置からホストコンピュータへの読取データ送信が行われる。一般に、読取データを送信する場合には、１回で送信する読取データを所定量毎のブロックに分割し、１ブロックを送信する度に単票用紙読取装置とホストコンピュータとの間でデータ転送が正常に行われたかホストコンピュータからの応答を待ってから、次のブロックを送信する送信制御が行われている（いわゆるハンドシェイク送信方式）。特許文献２には、読み取ったイメージデータをハンドシェイク送信方式によって送信する読取装置が開示されている。
【特許文献１】特開２００５−２２９５１４号公報
【特許文献２】特開平６−６２１９９号公報
【発明の開示】
【発明が解決しようとする課題】
【０００５】
しかしながら、ハンドシェイク送信方式によって読取データを送信する場合には、分割されたブロック数分だけホストコンピュータからの応答を待たなければならない。このため、ホストコンピュータ側では読取データのブロック受信待ちが入り、単票用紙読取装置側では応答待ちが入ってしまうので通信速度が低下してしまう。特に、読取データが大きい場合には分割されるブロック数が増加するので、待ち時間が目立つようになり、データ転送速度に大きな影響を及ぼすことがある。このため、実際のデータ転送速度を論理的な転送速度に近づけることが望まれている。
【０００６】
また、読取データの大きさはユーザの使用形態によって異なるため使用形態にあったデータ転送方式をユーザ側で設定できるようにしたり、ホストコンピュータと単票用紙読取装置との間の物理的な接続インタフェース（例えば、ＵＳＢ（Universal Serial Bus）、ＲＳ−２３２等のシリアルインタフェースやＩＥＥＥ１２６４等のパラレルインタフェース）に対応した好適なデータ転送方式を設定できるように、複数のデータ転送方式に対応可能な機能が求められている。
【０００７】
本発明はこれらの問題を解決するためになされたものであり、読取データのデータ転送速度を論理的な転送速度に近づけるとともに、ユーザの使用形態や接続インタフェースに対応した好適なデータ転送方式によるデータ転送を実現することが可能な情報読取装置及び情報読取装置の制御方法を提供することを目的とする。
【課題を解決するための手段】
【０００８】
（１）  ホストコンピュータと複数の通信方式によってデータ通信を行うことが可能な情報読取装置であって、
読取媒体が有する情報の読取処理を制御する読取制御部と、
読取データを前記ホストコンピュータへ送信する送信部と、を有し、
前記送信部は、前記ホストコンピュータからの通信方式設定指示に基づいて前記複数の通信方式のうちから設定された通信方式にしたがって、前記読取データを送信することを特徴とする情報読取装置。
（２）  前記設定された通信方式が前記読取データを一括して送信する一括データ送信方式である場合には、前記送信部は、前記ホストコンピュータから送信される読取データ送信要求指示に基づいて、前記読取データを一括して送信することを特徴とする（１）に記載の情報読取装置。
（３）前記設定された通信方式を確認する通信方式設定情報の送信を要求する通信方式設定情報要求指示に応じて、前記通信方式設定情報を生成し、前記ホストコンピュータへ送信する通信方式設定情報生成送信部を有することを特徴とする（１）または（２）に記載の情報読取装置。
（４）  前記読取制御部は、前記ホストコンピュータから送信された１の読取指示で複数の前記読取媒体の前記情報を連続して読み取ることを特徴とする（１）〜（３）の何れかに記載の情報読取装置。
（５）  前記読取制御部は、前記読取媒体の画像の読取処理を制御する画像読取制御部または、前記読取媒体に記載された磁気インク文字の読取処理を制御する磁気インク文字読取制御部の少なくともいずれか一方によって構成されることを特徴とする（１）〜（４）の何れかに記載の情報読取装置。
（６）  読取媒体が有する情報の読取処理を制御する読取制御部を備え、ホストコンピュータへ複数の通信方式によって読取データを送信することが可能な情報読取装置の制御方法であって、
前記ホストコンピュータからの通信方式設定指示を受信する受信ステップと、
前記通信方式設定指示に基づいて前記複数の通信方式のうちから１の通信方式を設定する設定ステップと、
設定された通信方式によって前記読取データを送信する送信ステップと、を有することを特徴とする情報読取装置の制御方法。
（７）  前記設定ステップにおいて、前記読取データを一括して送信する一括データ送信方式が設定された場合に、
前記ホストコンピュータから送信される読取データ送信要求指示に基づいて、前記読取データを一括して送信することを特徴とする請求項６に記載の情報読取装置の制御方法。
（８）  設定されている前記１の通信方式を確認する通信方式設定情報の送信を要求する通信方式設定情報要求指示を受信し、
前記通信方式設定情報要求指示に基づいて前記通信方式設定情報を生成し、
前記通信方式設定情報を前記ホストコンピュータへ送信することを特徴とする（７）または（８）に記載の情報読取装置の制御方法。
【０００９】
本発明の情報読取装置及び情報読取装置の制御方法によれば、ホストコンピュータからの通信方式設定指示に基づいて、複数の通信方式のうちから１の通信方式を設定し、設定された通信方式によって読取データを送信するように構成されている。したがって、情報読取装置に接続された接続インタフェースや送信される読取データの大きさに対応した好適な通信方式によるデータ送信を実現することが可能となる。
【００１０】
また、本発明の情報読取装置及び情報読取装置の制御方法によれば、設定された通信方式が一括データ送信方式である場合には、送信部は、読取データを一括して送信するように構成されている。したがって、従来のように、１つの読取データを複数のブロックに分割して送信していた場合に比べ、読取データの送信速度をより論理的な送信速度に近づけることが可能となる。
【００１１】
また、本発明の情報読取装置及び情報読取装置の制御方法によれば、設定されている通信方式を確認する通信方式設定情報の送信を要求する通信方式設定情報要求指示に応じて、通信方式設定情報を生成し、ホストコンピュータへ送信するように構成されている。したがって、例えば設定されている通信方式が、情報読取装置に接続されている接続インタフェースに対応した適切な通信方式に設定されていなかった場合には、好適な通信方式へ設定変更することが可能となる。また、好適な通信方式へ設定変更した場合には、読取データの送信速度をより論理的な送信速度に近づけることが可能となる。
【００１２】
また、本発明の情報読取装置によれば、読取制御部は、ホストコンピュータから送信された１の読取指示で複数の読取媒体の情報を連続して読み取るように構成されている。また、読取制御部は読取媒体の画像の読取処理を制御する画像読取制御部または、読取媒体に記載された磁気インク文字の読取処理を制御する磁気インク文字読取制御部の少なくともいずれか一方によって構成されている。したがって、読取データに画像の読取データ及び磁気インク文字の読取データが含まれていて送信情報量が大きい場合や、複数の読取媒体を連続して読み取り、複数の読取データを続けて送信するような場合でも、それに対応した好適な通信方式を設定することができる。
【発明の効果】
【００１３】
本発明によれば、読取データのデータ転送速度を論理的な転送速度に近づけるとともに、ユーザの使用形態や接続インタフェースに対応した好適なデータ転送方式によるデータ転送を実現することが可能である。
【発明を実施するための最良の形態】
【００１４】
以下、本発明に係る情報読取装置及び情報読取装置の制御方法の実施形態について図面を参照して説明する。なお、本実施形態では、情報読取装置としてホストコンピュータと通信可能に接続された複合処理装置を例に挙げ、ホストコンピュータと複合処理装置とによって構成される複合処理システムとして、その構造及び制御動作について具体的に説明する。
【００１５】
（複合処理装置の機械的構成）
本実施形態における複合処理装置の機械的構造について図１および図２を用いて説明する。図１は本実施形態の複合処理装置１を示す斜視図であり、図２は図１に示した複合処理装置１の搬送路に面して設けられた各機械的構成部分を示す上面から見た模式図である。
【００１６】
本実施形態の複合処理装置１は、図１及び図２に示すように、給紙部であるＡＳＦ（Auto Sheet Feeder:オートシートフィーダ）３に装填される小切手Ｓを筐体１ａに形成された用紙搬送路Ｐ１に沿って搬送しながら、小切手Ｓ上の両面画像の読み取り、小切手Ｓ上の磁気インク文字の読み取り、及び小切手Ｓへの裏書き印刷を実行可能に構成されている。また、複合処理装置１は、カード挿入口２０から挿入されるカードＣを筐体１ａに形成された用紙搬送路Ｐ２に沿って搬送しながら、カードＣ上のオモテ面画像の読み取りを実行可能に構成されている。
【００１７】
また、この複合処理装置１は、筐体１ａにおいて用紙搬送路Ｐ１に囲まれた中央部に設けられたロール紙カバー３０の下部にロール紙を収納するロール紙収納部３０ａが設けられている。ロール紙収納部３０ａに収納されたロール紙への印刷は、キャリッジ１４の搬送方向の移動に伴ってキャリッジ１４に搭載された印刷ヘッド１９のノズルから吐出されたインクが吹き付けられることによって実行される。印刷されたロール紙は、ロール紙排出口から複合処理装置１の外部に排出される。
【００１８】
さらに、複合処理装置１は、図示せぬバリデーション挿入口からバリデーション紙を挿入可能に構成されており、このバリデーション紙に対しても印刷を実行可能に構成されている。
【００１９】
すなわち、本実施形態の複合処理装置１は、画像読取機能及び磁気インク文字読取機能を備え、小切手Ｓ、ロール紙及びバリデーション紙への印刷が可能な複合型多機能プリンタである。
【００２０】
図２に示すように、用紙搬送路Ｐ１と用紙搬送路Ｐ２は、用紙搬送路Ｐ１のＵ字形状の底の部分に相当する部位で共通となっている。以下の説明では、この共通の部位を中間搬送路と呼ぶこととする。この用紙搬送路Ｐ１及び中間搬送路には、各種読取装置が設けられている。用紙搬送路Ｐ１の上流側には、複数の小切手Ｓを装填可能なＡＳＦ３が設けられている。小切手Ｓは、図２の矢印Ａの方向からＡＳＦ３を介して用紙搬送路Ｐ１に挿入され、ＡＳＦ３に装填された複数の小切手Ｓは、一枚ずつ分離されて用紙搬送路Ｐ１内に送り出される。
【００２１】
ＡＳＦ３から用紙搬送路Ｐ１内に送り出された小切手Ｓは、図２に示すように、用紙搬送ローラ６、中間搬送ローラ１６、ならびに第２搬送ローラ７によって中間搬送路内を搬送され、排出ローラ８により矢印Ｂの方向へ排出口４から排出される。このように、本実施形態における複合処理装置１は、小切手ＳをＵ字型の用紙搬送路Ｐ１に搬送し、カードＣを、直線状の用紙搬送路Ｐ２に搬送するように構成されている。
【００２２】
中間搬送路Ｍには、小切手S等の裏面画像の読み取りを行う裏面画像読取装置１１および表面画像を読み取る表面画像読取装置１２がそれぞれ中間搬送路の両側に搬送方向にずれた状態で設置されている。小切手Ｓの裏面画像読取装置１１および表面画像読取装置１２は、それぞれＣＩＳ(Contact Image Sensor)タイプのスキャナである。
【００２３】
裏面画像読取装置１１および表面画像読取装置１２は、中間搬送路を搬送される小切手ＳまたはカードＣの一面に光を照射し、小切手ＳまたはカードＣ上で反射した光を複数の受光素子（光電変換素子）を介して受光し、受光した光を電気信号に変換して１ライン分の画像を取得する。１ラインずつ順次読み取ることにより、小切手ＳまたはカードＣの二次元画像を取得する。
【００２４】
駆動ローラ１７の下方には、磁気インク文字を読み取る磁気インク文字読取装置（以下、ＭＩＣＲ（Magnetic Ink Character Reader）という。）１３が設置されている。ＭＩＣＲ１３は、小切手Ｓの表面に印刷された磁気インク文字を読み取るためのセンサである。このＭＩＣＲ１３は、中間搬送路を介してＭＩＣＲ１３に対向配置された押付レバーによって小切手ＳがＭＩＣＲ１３の表面に押し付けられた状態で読み取りを実行する。本実施形態では、口座番号などの情報が磁気インク文字で印刷された小切手Ｓの磁気インク文字記録領域を読み取るように構成されている。
【００２５】
また、第２搬送ローラ７と排出ローラ８との間であって、用紙搬送路Ｐ１に沿った直線領域には、キャリッジ１４が用紙搬送路Ｐ１の直線部分に沿って移動可能に配置されている。キャリッジ１４には、インクを吐出する複数のインクノズルを有する印刷ヘッド１９が設けられており、後述するホストコンピュータ１１０からの指示に応じて印刷ヘッド１９の複数のインクノズルからインクを吐出することにより、小切手Ｓへの裏書印刷、バリデーション紙への印刷、またはロール紙への印刷を実行する。
【００２６】
また、用紙搬送路Ｐ１には、ＡＳＦ検出器（給紙部検出器）９と、ＴＯＦ(Top Of Form)検出器１０と、バリデーション検出器２６と、排出検出器２８の４つの用紙検出器が設けられている。これらの検出器９，１０，２６，２８は、たとえば光学式の用紙検出器であり、それぞれ検出器前面における用紙の有無を検出可能に構成されている。
【００２７】
ＡＳＦ検出器９は、ＡＳＦ３の排出口近傍に設けられており、ＡＳＦ３に載置された複数の小切手Ｓを検出する。ＴＯＦ検出器１０は、ＡＳＦ３と裏面画像読取装置１１の中間部位に設けられており、裏面画像読取装置１１に送り込まれる小切手Ｓを検出する。
【００２８】
バリデーション検出器２６は、第２搬送ローラ７の下流側の直線部位に設けられており、バリデーション挿入口４０から挿入されるバリデーション紙の挿入の有無を検出可能に構成されている。排出検出器２８は、排出口４近傍に設けられており、排出口４から排出される小切手Ｓを検出する。
【００２９】
（複合処理装置の内部処理について）
次に、図３を参照して本実施形態の複合処理システムにおける通信方式設定処理について詳細に説明する。図３は、本実施形態の複合処理システム２００の制御ブロック図である。
【００３０】
複合処理システム２００は、ホストコンピュータ１１０と、ホストコンピュータ１１０と通信可能に接続された複合処理装置１とによって構成されている。ホストコンピュータ１１０は、制御中枢である図示せぬ制御部を備え、複合処理システム２００の全体動作を制御する。複合処理装置１はＡＳＦ３に載置された複数の小切手Ｓを連続して読み取ると同時に裏面印刷を実行する。ホストコンピュータ１１０では連続して送信される複数の小切手Ｓの読み取りデータを解析し、ＭＩＣＲ１３及び裏面画像読取装置１１，表面画像読取装置１２による読み取りが正常に行われたか否かを判断する。そして、判断結果に応じたコマンドを生成し、複合処理装置１へコマンドを送信するように構成されている。
【００３１】
まず、複合処理装置１の内部処理について説明すると、図３に示すように、複合処理装置１内には、ホストコンピュータ１１０から送信される各種コマンドや印刷データを受信する受信部５１と、受信部５１が受信した各種コマンドや印刷データを一時的に保持する受信バッファ５２が設けられている。受信バッファ５２によって受信されたデータは、コマンド解析部５３によって解析され、制御コマンドの場合は制御コマンドバッファ５４に、印刷データの場合には印刷バッファ５５にＤＭＡ転送等により転送される。
【００３２】
印刷バッファ５５に一時保存された印刷データは、データ展開処理が行われてデータ変換され、最終的には印刷ヘッド１９のノズル列に対応したドットパターンデータが生成されて図示せぬイメージ展開バッファ等に記憶される。
【００３３】
印刷制御部５８は、この印刷バッファ５５に記憶されたドットパターンデータを基に印刷ヘッド１９を駆動するものであり、小切手Ｓ上に画像を形成することにより、小切手Ｓの裏面印刷を実行する。
【００３４】
一方、制御コマンドバッファ５４に一時保存された制御コマンドデータは、主制御部６３によって読み出されて、画像読取制御部６１、磁気インク文字読取制御部６２、搬送制御部５９、検出器制御部６０を介して、画像読取装置１１、１２による小切手Ｓの画像読み取り制御、ＭＩＣＲ１３による磁気インク文字の読み取り制御、複数枚の小切手Ｓの搬送制御、搬送路に面して設けられた各種用紙検出器による検出制御等の、各種処理が実行される。
【００３５】
また、画像読取制御部６１、磁気インク文字読取制御部６２が読み取った読取データは送信部６４を介してホストコンピュータ１１０に順次送信され、ホストコンピュータ１１０の図示せぬ制御部によって正常に読み取りが行われたかが解析される。また、送信部６４は、ホストコンピュータ１１０からの通信方式設定コマンドに基づいて、予め複合処理装置１に設定されている複数の通信方式のうちから１の通信方式を設定し、設定された通信方式によって読取データを送信するように設定されている。
【００３６】
通信方式設定情報生成送信部６５は、ホストコンピュータ１１０から送信される通信方式設定情報要求コマンドに応じて、そのときに設定されている通信方式に基づく通信方式設定情報を生成し、ホストコンピュータ１１０へ送信する。通信方式としては、例えば、高速通信で、かつデータ化けの無いＵＳＢ２．０（Universal Serial Bus 2.0）に好適な一括データ送信方式、読取データを複数のブロックに分割して送信するハンドシェイク送信方式（シリアル転送方式、パラレル転送方式を含む）等が挙げられる。
【００３７】
ホストコンピュータ１１０は、送受信部１１２と、通信方式設定情報取得部１１３と、読取データ取得部１１４と、を備えており、通信方式設定情報取得部１１３で生成された通信方式設定情報要求コマンド、読取データ取得部１１４で生成された読取コマンド、読取データ送信要求コマンド等の各種コマンドが送受信部１１２を介して複合処理装置１へ送信される。また、読取コマンドに応じて読み取られ、複合処理装置１の送信部６４を介して送信された読取データは送受信部１１２で受信される。
【００３８】
（通信方式設定処理について）
次に、通信方式設定処理について図４及び図５を参照して説明する。図４及び図５は複合処理システム２００における通信方式設定処理を説明するフローチャートである。
【００３９】
本実施形態の複合処理装置１は、複合処理装置１とホストコンピュータ１１０と間の通信方式として、ＵＳＢ２．０に好適な一括データ送信方式、及びハンドシェイク送信方式によるデータ送信方式に対応している。つまり、複合処理装置１の送信部６４は、ホストコンピュータ１１０からの通信方式設定コマンドに応じて、一括データ送信方式あるいはハンドシェイク送信方式の何れかの通信方式を設定し、設定された通信方式で読取データをホストコンピュータ１１０へ送信するように構成されている。以下では、複合処理装置１に設定される通信方式を、ハンドシェイク送信方式から一括してデータを送信する一括データ送信方式に設定変更する場合について説明する。
【００４０】
まず、ユーザは現在の複合処理装置１に設定されている通信方式を確認するため、複合処理装置１から通信方式設定情報を取得する。具体的は、ホストコンピュータ１１０の通信方式設定情報取得部１１３を介して、通信方式設定情報要求コマンドが複合処理装置１へ送信される（ステップＳ３１）。複合処理装置１は、通信方式設定情報要求コマンドを受信すると、通信方式設定情報生成送信部６５が通信方式設定情報を生成し（ステップＳ４１，ステップＳ４２）、生成された通信方式設定情報をホストコンピュータ１１０へ送信する（ステップＳ４３）。つまり、現在、複合処理装置１に設定されている通信方式の情報"ハンドシェイク送信方式"がホストコンピュータ１１０へ送信される。これによって、ユーザは現在の複合処理装置１に設定されている通信方式を把握することができるので、現在の複合処理装置１に接続されている接続インタフェース（ここでは、ＵＳＢ２．０とする）に好適な通信方式に設定変更しなければならないと判断することができる。
【００４１】
通信方式を設定変更しなければならないと判断したユーザは、ホストコンピュータ１１０から通信方式設定変更を指示する。具体的には、ホストコンピュータ１１０の送受信部１１２を介して、通信方式設定コマンドが送信される（ステップＳ１１）。複合処理装置１は、通信方式設定コマンドを受信すると、主制御部６３が通信方式を"ハンドシェイク送信方式"から"一括データ送信方式"に設定変更する（ステップＳ２１，ステップＳ２２）。
【００４２】
設定変更後、複合処理装置１は、ホストコンピュータ１１０から送信された小切手Ｓの連続読取コマンドを受信すると（ステプＳ１２，ステップＳ２３）、複数枚の小切手Ｓの画像及び磁気インク文字を読み取り、読み取った読取データを一括で送信し、ホストコンピュータ１１０は複数枚の小切手Ｓの読取データを受信する（ステップＳ２４，ステップＳ１３）。
【００４３】
このように、本実施形態の複合処理装置１は、ホストコンピュータ１１０からの通信方式設定コマンドに基づいて、"ハンドシェイク送信方式"と"一括データ送信方式"の２つの通信方式のうちから１の通信方式を設定し、設定された通信方式によって読取データをホストコンピュータ１１０へ送信するように構成されている。したがって、複合処理装置１に接続された接続インタフェースが高速通信でかつデータ化けの発生がないＵＳＢ２．０である場合には、"一括データ送信方式"に設定すれば、ハンドシェイク送信方式に特有の複合処理装置１側の応答待ちや、ホストコンピュータ１１０側のデータ受信待ちによる待ち時間がなくなるため、読取データの送信速度をより論理的な送信速度に近づけることが可能となる。
【００４４】
また、本実施形態の複合処理装置１は、ホストコンピュータ１１０からの連続読取コマンドに応じて、複数の小切手Ｓの画像及び磁気インク文字を連続して読み取るように構成されている。したがって、読取データに画像の読取データ及び磁気インク文字の読取データが含まれることによって送信情報量が大きい場合や、複数の小切手Ｓを連続して読み取り、複数の読取データを続けて送信するような場合でも、それに対応した好適な通信方式"一括データ送信方式"を設定することができる。
【図面の簡単な説明】
【００４５】
【図１】本実施形態の複合処理装置を示す斜視図である。
【図２】図１に示した複合処理装置の内部構造を示す上面から見た模式図である。
【図３】本実施形態の複合処理システムの制御ブロック図である。
【図４】本実施形態の複合処理システムにおける通信方式設定情報要求処理を説明するフローチャートである。
【図５】本実施形態の複合処理システムにおける通信方式設定と読取処理を説明するフローチャートである。
【符号の説明】
【００４６】
１：複合処理装置、１１，１２：画像読取装置、１３：ＭＩＣＲ、１４：キャリッジ、１９：印刷ヘッド、５５：印刷バッファ、５８：印刷制御部、６１：画像読取制御部、６２：磁気インク文字読取制御部、６５：通信方式設定情報生成送信部、１１０：ホストコンピュータ、１１２：送受信部、１１３：通信方式設定情報取得部：１１４：読取データ取得部、２００：複合処理システム、Ｓ：小切手、Ｐ１，Ｐ２：用紙搬送路
【図１】
2007286772.tif 000003
【図２】
2007286772.tif 000004
【図３】
2007286772.tif 000005
【図４】
2007286772.tif 000006
【図５】
2007286772.tif 000007